(57)【特許請求の範囲】
【請求項１】
印刷ロールと、
リニアガイドと、
前記印刷ロールを前記リニアガイドに沿って移動させる搬送部と、
前記印刷ロールに印刷物質を塗布するコーティング部と、
前記印刷ロールに塗布されている印刷物質をパターニングするパターン部と、
前記印刷物質を被印刷物に印刷する印刷部と、
前記印刷ロールに残っている印刷物質を乾式洗浄する洗浄部とを含み、
前記コーティング部、前記パターン部、前記印刷部及び前記洗浄部は、この順序で前記リニアガイドに沿って配置され、
前記コーティング部は、前記印刷ロールに塗布される印刷物質を乾燥させる第１乾燥機を含むことを特徴とするオフセット印刷装置。
【請求項２】
前記洗浄部は、前記印刷ロールを洗浄する洗浄プレートと、前記洗浄プレートを支持する洗浄ステージとを含むことを特徴とする請求項１に記載のオフセット印刷装置。
【請求項３】
前記洗浄プレートは、金属又はＰＤＭＳ材質を含むことを特徴とする請求項２に記載のオフセット印刷装置。
【請求項４】
前記洗浄部は、前記洗浄プレート上で前記印刷物質を除去するスイーパーをさらに含むことを特徴とする請求項２に記載のオフセット印刷装置。
【請求項５】
前記洗浄部は、前記印刷ロールを洗浄する洗浄ロールを含むことを特徴とする請求項１に記載のオフセット印刷装置。
【請求項６】
前記洗浄ロールは、ブランケットロールを含むことを特徴とする請求項５に記載のオフセット印刷装置。
【請求項７】
前記ブランケットロールは、金属、セラミック、テフロン（登録商標）、プラスチック材質の中の一つからなることを特徴とする請求項６に記載のオフセット印刷装置。
【請求項８】
前記洗浄部は、前記洗浄ロールを洗浄する洗浄槽と、前記洗浄ロールに残っている洗浄液を乾燥する第２乾燥機とをさらに含むことを特徴とする請求項５に記載のオフセット印刷装置。
【請求項９】
前記洗浄部は、前記洗浄槽の上端をカバーし、前記洗浄槽内の洗浄液から前記洗浄ロールを選択的に露出させるカバー部をさらに含むことを特徴とする請求項８に記載のオフセット印刷装置。
【発明の詳細な説明】
【技術分野】
【０００１】
本発明は印刷装置に関し、さらに詳しくは、オフセット印刷装置に関する。
【背景技術】
【０００２】
印刷技術は文字、絵、及び写真などを多量に複写できるようにする。最近、安値で多量生産が可能である印刷技術の研究が活発化している。
【０００３】
その一環として、印刷技術を次世代携帯用電子素子の製造工程に適用しようとする研究が行なわれており、一部分野では成果を得ている。しかし、電子製品の製造においては、生産性の高い印刷装置は開発されていない。
【先行技術文献】
【特許文献】
【０００４】
【特許文献１】韓国特許公開第２００７−０７０５１２号公報
【発明の概要】
【発明が解決しようとする課題】
【０００５】
本発明が解決しようとする課題は、印刷ロールの汚染を減らすことができるオフセット印刷装置を提供することにある。
【０００６】
また、本発明の他の課題は、印刷ロールの耐久性を向上させるオフセット印刷装置を提供することにある。
【０００７】
本発明のまた他の課題は、印刷ロールに塗布されているインクの膨潤を防止して印刷品質及び生産収率を増大又は極大化するオフセット印刷装置を提供することにある。
【課題を解決するための手段】
【０００８】
前記課題を解決するための本発明のオフセット印刷装置は、印刷ロールに付いているインクを乾燥し、洗浄する乾燥機及び洗浄部を備える。また、オフセット印刷装置は、印刷ロール、前記印刷ロールに印刷物質を塗布するコーティング部、前記印刷ロールに塗布されている印刷物質をパターニングするパターン部、前記印刷物質を被印刷物に印刷する印刷部、及び前記印刷ロールに残っている印刷物質を乾式洗浄する洗浄部を含む。
【０００９】
本発明の一実施形態によると、前記コーティング部は、前記印刷ロールに塗布される印刷物質を乾燥させる第１乾燥機を含む。前記洗浄部は、前記印刷ロールを洗浄する洗浄プレートと、前記洗浄プレートを支持する洗浄ステージを含む。前記洗浄プレートは、金属、ＰＤＭＡ、又はゴム材質からなる。前記洗浄部は、前記洗浄プレート上で前記印刷物質を除去するスイーパーをさらに含む。
【００１０】
本発明の他の実施形態によると、前記洗浄部は、前記印刷ロールを洗浄する洗浄ロールを含む。前記洗浄ロールはブランケットロールを含む。前記ブランケットロールは金属、セラミック、テフロン（登録商標）、又はプラスチック材質からなる。前記洗浄部は、前記洗浄ロールの洗浄液を収容する洗浄槽と、前記洗浄ロール上に残っている洗浄液を乾燥する第２乾燥機をさらに含む。前記洗浄部は、前記洗浄槽の上端をカバーし、前記洗浄槽内の洗浄液から前記洗浄ロールを選択的に露出させるカバー部をさらに含む。
【発明の効果】
【００１１】
上述したように、本発明のオフセット印刷装置は、コーティング部から印刷ロールに塗布されるインクを乾燥する乾燥機と、印刷後前記印刷ロールに残っているインクを乾式洗浄する洗浄部を備える。乾燥機と洗浄部は印刷ロールがインクの溶媒に露出される時間を最小化して、印刷ロールの劣化を防止する。従って、本発明の実施形態によるオフセット印刷装置は印刷品質及び生産収率を増大又は極大化することができる。
【図面の簡単な説明】
【００１２】
【図１】本発明の一実施形態によるオフセット印刷装置を示す斜視図である。
【図２】図１を概略的に示す側面図である。
【図３】本発明の他の実施形態によるオフセット印刷装置を示す斜視図である。
【図４】図３を概略的に示す側面図である。
【発明を実施するための形態】
【００１３】
以下に、添付図面などを参照して本発明の好ましい実施形態を詳しく説明する。本発明の長所及び特徴は添付図面と後述する実施形態を参照すれば、明確に理解することができる。しかし、本発明はここに説明される実施形態に限定されず、他の形態に具体化することができる。むしろ、ここに紹介される実施形態は開示される内容が徹底かつ完全になるように、そして、当業者に本発明の思想が十分に伝達され得るためのものである。また、本発明は請求項の範囲によって定義されるべきである。明細書の全文にわたって同じ参照符号は同じ構成要素を示す。
【００１４】
本発明で使用される用語は実施形態などを説明するためのものであり、本発明を制限するものではない。本発明において、単数形は文句から特別に言及していない限り複数形も含む。明細書から使用される‘含む’は言及した構成要素、段階、動作及び／又は素子は一つ以上の他の構成要素、段階、動作及び／又は素子の存在、追加などを排除しない。なお、実施形態において、説明の順によって提示される参照符号はその順に限定されない。
【００１５】
図１は本発明の一実施形態によるオフセット印刷装置を示す斜視図であり、図２は図１を概略的に示す側面図である。
【００１６】
図１及び図２を参照すると、本発明の一実施形態によるオフセット印刷装置はリニアガイド１０の両側末端にそれぞれ配置される第１乾燥機２４と、第１洗浄部８０を備える。第１乾燥機２４はコーティング部２０で印刷ロール３０に塗布される液体状態のインクを乾燥する。第１乾燥機２４は印刷ロール３０に熱い熱風を提供する。第１乾燥機２４は印刷ロール３０からインクの膨潤を防止する。印刷ロール３０はクリシェ４４及び被印刷物６４上にインクを印刷する。第１洗浄部８０は印刷ロール３０において、印刷後、残っているインクを洗浄する。第１洗浄部８０は印刷ロール３０を乾式洗浄する。第１洗浄部８０及び第１乾燥機２４は印刷ロール３０がインクの溶媒に露出される時間を短縮させる。第１乾燥機２４及び第１洗浄部８０は印刷ロール３０の劣化を防止する。
【００１７】
従って、本発明の一実施形態によるオフセット印刷装置は印刷品質及び生産収率を増大又は極大化することができる。
【００１８】
リニアガイド１０はコーティング部２０、パターン部４０、印刷部６０、及び第１洗浄部８０に沿って平行に延長される。両側のリニアガイド１０の間にパターニングステージ４２、印刷ステージ６２、及び洗浄ステージ８２などが配置される。リニアガイド１０上に搬送部３８が配置される。リニアガイド１０は搬送部３８及び印刷ロール３０を支持する。
【００１９】
搬送部３８はリニアガイド１０に沿って印刷ロール３０を移動させる。搬送部３８は印刷ロール３０をコーティング部２０から洗浄部８０まで往復移動させる。例えば、搬送部３８はリニアガイド１０上で印刷ロール３０を水平移動させるローダを備える。ローダは印刷ロール３０を回転させる。ローダはモータによって駆動される。
【００２０】
印刷ロール３０は第１シャフト３２と、前記第１シャフト３２の周りに形成されたドラム３４と、前記ドラム３４の外周面に沿って形成された第１ブランケットロール３６を備える。第１ブランケットロール３６はＰＤＭＳ（Ｐｏｌｙｄｉｍｅｔｈｙｌｓｉｌｏｘａｎｅ）材質からなる。ＰＤＭＳはインクの吸収率が高い。ＰＤＭＳは揮発性が高いインクの溶媒成分に弱い。
【００２１】
コーティング部２０はインクコッター２２と第１乾燥機２４を備える。インクコッター２２は第１ブランケットロール３６の表面に印刷物質であるインクを塗布する。インクコッター２２はスリットダィノズル、又はディスペンスを備える。第１乾燥機２４はインクの溶媒を熱風によって除去する。第１乾燥機２４は液体状態のインクを乾燥させる。従って、第１乾燥機２４はインクの膨潤を防止する。なお、第１乾燥機２４は第１ブランケットロール３６に塗布されるインクの溶媒を短時間に除去することができる。第１乾燥機２４は第１ブランケットロール３６がインク溶媒に露出される時間を最小化する。第１乾燥機２４はインク溶媒による第１ブランケットロール３６の劣化を防止する。従って、本発明の一実施形態によるオフセット印刷装置は印刷品質及び生産収率を増大又は極大化することができる。
【００２２】
パターン部４０はパターニングステージ４２とクリシェ４４を備える。クリシェ４４はパターニングステージ４２上で印刷ロール３０に塗布されたインクをパターニングする。クリシェ４４は印刷ロール３０の第１ブランケットロール３６上に塗布されたインクの一部を除去する。クリシェ４４は印刷ロール３０の第１ブランケットロール３６から被印刷物６４に印刷される部分のインクを除いて除去する。従って、クリシェ４４は第１ブランケットロール３６からインクを逆印刷（ｒｅｖｅｒｓｅ  ｐｒｉｎｔｉｎｇ）する。クリシェ４４は第１ブランケットロール３６からインクを除去する浮き彫りのパターン（ｒａｉｓｅｄ  ｐａｔｔｅｒｎ）を含む。浮き彫りのパターンは被印刷物６４に印刷される紋様とは逆の模様を有する。
【００２３】
被印刷物６４は印刷ステージ６２にセットされる。被印刷物６４は印刷ロール３０の第１ブランケットロール３６にパターニングされたインクによって印刷される。被印刷物６４はガラス平板、プラスチック平板、又はウェハを含む。被印刷物６４はクリシェ４４と同じ大きさ又は面積を有する。被印刷物６４は外部のロボットアーム（図示せず）によって印刷ステージ６２上に入れ替えられる。
【００２４】
第１洗浄部８０は印刷ロール３０に残っているインクを洗浄する。第１洗浄部８０は印刷ロール３０の第１ブランケットロール３６を乾式洗浄する。印刷ロール３０の第１ブランケットロール３６は湿式洗浄する場合、耐久性に悪い影響を与える。第１洗浄部８０は洗浄ステージ８２と、前記洗浄ステージ８２上に設置される洗浄プレート８４と前記洗浄プレート８４上の汚染物質を除去するスイーパー８６を備える。洗浄プレート８４は銅、アルミニウム、ステンレス、クロム、ニッケル、モリブデンのような金属を含む。なお、洗浄プレート８４はＰＤＭＳのような高分子、又はゴムのような天然素材を含む。洗浄プレート８４は第１ブランケットロール３６の耐久性を増加させる。スイーパー８６は洗浄プレート８４上のインクなどの汚染物質を除去する。
【００２５】
従って、本発明の一実施形態によるオフセット印刷装置は印刷品質及び生産収率を増大又は極大化することができる。
【００２６】
図３は本発明の他の実施形態によるオフセット印刷装置を示す斜視図であり、図４は図３を概略的に示す側面図である。
【００２７】
図３及び図４を参照すると、本発明の他の実施形態によるオフセット印刷装置は、印刷ロール３０に残っているインクを乾式洗浄し、湿式で再使用（ｒｅｕｓａｂｌｅ）及び連続洗浄できる少なくとも一つの洗浄ロール９２を備える第２洗浄部９０を含む。洗浄ロール９２は洗浄槽９４内の洗浄液９６によって洗浄される。洗浄ロール９２に残っている洗浄液９６は第２乾燥機９８の熱風によって除去される。洗浄ロール９２は印刷ロール３０を乾式洗浄する。第２洗浄部９０は印刷ロール３０をロールツーロール方式によって乾式洗浄する。洗浄ロール９２と、第１乾燥機２４は印刷ロール３０がインクの溶媒に露出される時間を最小化する。
【００２８】
従って、本発明の他の実施形態によるオフセット印刷装置は印刷ロール３０の耐久性を増加させるので印刷品質及び生産収率を増大又は極大化することができる。
【００２９】
コーティング部２０はインクコッター２２と第１乾燥機２４を備える。第１乾燥機２４はインクコッター２２に隣接して配置される。第１乾燥機２４はインクコッター２２から印刷ロール３０に塗布されるインクを乾燥する。第１乾燥機２４は印刷ロール３０に熱風を供給する。第１乾燥機２４は印刷ロール３０からインクの膨潤を防止する。第１乾燥機２４は印刷ロール３０の第１ブランケットロール３６に塗布されるインクの溶媒成分を除去する。第１乾燥機２４はコーティング部２０から塗布されるインクを最短時間内に乾燥させる。従って、第１乾燥機２４は第１ブランケットロール３６の耐久性を増加させる。
【００３０】
印刷ロール３０は搬送部３８によってコーティング部２０、パターン部４０、印刷部６０、及び第２洗浄部９０に順に移動される。搬送部３８はリニアガイド１０に沿って印刷ロール３０を移動させる。リニアガイド１０はパターニングステージ４２、印刷ステージ６２、及び洗浄槽９４の両側に平行に延長される。
【００３１】
第２洗浄部９０は印刷ロール３０を洗浄する洗浄ロール９２を備える。洗浄ロール９２と印刷ロール３０は圧押するように構成される。洗浄ロール９２は第２シャフト９１と、第２ブランケットロール９３を備える。第２ブランケットロール９３は第１ブランケットロール３６に残っているインクを乾式洗浄する。第２ブランケットロール９３は第１ブランケットロール３６と圧押するように構成される。第２ブランケットロール９３は界面活性剤又はソルベントのような揮発性物質に耐化学性及び耐薬品性が高い材質からなる。第２ブランケットロール９３は金属、セラミック、テフロン（登録商標）、プラスチックなどからなる。第２ブランケットロール９３は洗浄槽９４内の洗浄液９６に浸される。第２ブランケットロール９３は洗浄槽９４内の洗浄液９６によって洗浄される。
【００３２】
洗浄液９６は第２ブランケットロール９３上のインクなどの汚染物質を除去する。洗浄液９６は界面活性剤又はソルベントを含む。界面活性剤及びソルベントはインクを溶解する。洗浄液９６は洗浄槽９４内に一定レベル以上に充填される。
【００３３】
洗浄槽９４の外部から第２ブランケットロール９３に残っている洗浄液９６は第２乾燥機９８によって除去される。第２乾燥機９８は印刷ロール３０に対向する洗浄ロール９２の他側に配置される。第２乾燥機９８は熱風によって第２ブランケットロール９３の表面に残っている洗浄液９６を除去する。第２ブランケットロール９３は第１ブランケットロール３６を乾式洗浄する。第２ブランケットロール９３は第１ブランケットロール３６の耐久性を増加させる。従って、本発明の他の実施形態によるオフセット印刷装置は印刷品質及び生産収率を増大又は極大化することができる。
【００３４】
洗浄槽９４の上端にカバー９７が設置される。カバー９７は第２乾燥機９８から洗浄槽９４内に流入される熱風を遮断する。カバー９７は洗浄槽９４の一部を覆う。カバー９７は洗浄槽９４内の洗浄液９６に洗浄ロール９２を選択的に露出させる。
【００３５】
従って、本発明の他の実施形態によるオフセット印刷装置は印刷品質及び生産収率を増大又は極大化することができる。
【００３６】
以上、添付図面などを参照して本発明の実施形態などを説明したが、本発明が属する技術分野から通常の知識を有する者であれば本発明の技術的思想及び特徴などを変更しなくて、他の形態に実施できるだろう。従って、本発明の実施形態は例示的なものであり、本発明を限定するものではない。
【符号の説明】
【００３７】
１０  基板
２０  コーティング部
３０  印刷ロール
４０  パターン部
６０  印刷部
８０  第１洗浄部
９０  第２洗浄部
【図１】
0005328873.tif 000002
【図２】
0005328873.tif 000003
【図３】
0005328873.tif 000004
【図４】
0005328873.tif 000005